(57)【要約】【課題】ツイスト電線の撚り戻し長を短く抑えながらも、端子のコネクタへの装着作業を容易にすることができるコネクタ及びワイヤハーネスを提供する。【解決手段】端子２０の一対の端子部２３，２４間の間隔と同じ間隔で配置され、一対の端子部２３，２４を挿入可能な少なくとも２つのキャビティ３１と、隣り合う２つのキャビティ３１を連通し、一対の端子部２３，２４間を連結する連結部２５を挿入可能な連通孔３２と、隣り合う２つのキャビティ３１を仕切る隔壁３３の一部及び連通孔３２の一部を上下方向に貫通する貫通孔３４と、連結部２５を切断するために貫通孔３４内で連通孔３２より上側に配置され、かつ隔壁３３に易破断部を介して一体に設けられた切断部３５と、を有し、一対の端子部２３，２４が各キャビティ３１に挿入された際に、連結部２５が連通孔３２内の貫通孔３４に対応する位置に配置される。【選択図】図１
2017212125.tif 000002
【特許請求の範囲】
【請求項１】
撚り合わされた２本の被覆電線の各端部に取り付けられる一対の端子部、及び、前記一対の端子部間を連結する連結部を含む端子を収容するコネクタであって、
前記一対の端子部間の間隔と同じ間隔で配置され、前記一対の端子部を挿入可能な少なくとも２つのキャビティと、
隣り合う２つの前記キャビティを連通し、前記連結部を挿入可能な連通孔と、
隣り合う２つの前記キャビティを仕切る隔壁の一部及び前記連通孔の一部を上下方向に貫通する貫通孔と、
前記連結部を切断するために前記貫通孔内で前記連通孔より上側に配置され、かつ前記隔壁に易破断部を介して一体に設けられた切断部と、を有し、
前記一対の端子部が各前記キャビティに挿入された際に、前記連結部が前記連通孔内の前記貫通孔に対応する位置に配置されることを特徴とするコネクタ。
【請求項２】
前記切断部は、上端部が前記コネクタの上面から突出した被押圧部となっていて、前記被押圧部が押圧されて前記易破断部が破断されることにより、下端部が前記連結部を押圧して切断する押圧部となっていることを特徴とする請求項１に記載のコネクタ。
【請求項３】
前記貫通孔の前記連通孔よりも下側部分が、前記切断部の下端部が圧入状態になる大きさに形成されていることを特徴とする請求項１又は請求項２に記載のコネクタ。
【請求項４】
撚り合わされた２本の被覆電線の端部に取り付けられる一対の端子部、及び、前記一対の端子部間を連結する連結部を含む端子を収容するコネクタであって、
前記一対の端子部間の間隔と同じ間隔で配置され、前記一対の端子部を挿入可能な少なくとも２つのキャビティと、
隣り合う２つの前記キャビティを連通し、前記連結部を挿入可能な連通孔と、
隣り合う２つの前記キャビティを仕切る隔壁の一部及び前記連通孔の一部を上下方向に貫通し、前記連結部を切断する工具を挿入するための貫通孔と、を有し、
前記一対の端子部が各前記キャビティに挿入された際に、前記連結部が前記連通孔内の前記貫通孔に対応する位置に配置されることを特徴とするコネクタ。
【請求項５】
前記連結部の切断後に、前記連通孔における前記連結部を分断する位置に固定される絶縁性部材を備えることを特徴とする請求項４に記載のコネクタ。
【請求項６】
請求項１から請求項５のいずれか１項に記載のコネクタと、
撚り合わされた２本の被覆電線の端部に取り付けられる一対の端子部、及び、前記一対の端子部間を連結する連結部を含む端子と、を備えたワイヤハーネスであって、
前記一対の端子部が各前記キャビティに挿入されており、前記連結部が前記連通孔内の前記貫通孔に対応する位置で切断されていることを特徴とするワイヤハーネス。
【発明の詳細な説明】
【技術分野】
【０００１】
本発明は、コネクタ及びワイヤハーネスに関する。
【背景技術】
【０００２】
耐ノイズ性能を向上させた電線として、例えば２本の電線を撚り合わせたツイスト電線が広く用いられている。ツイスト電線は、外部に電磁誘導ノイズを輻射しにくく、外部から電磁誘導ノイズを受けにくい、という特性を有している。
【０００３】
従来、図９（ａ），（ｂ）に示すように、２本の被覆電線１１を撚り合わせたツイスト電線１０を有し、各被覆電線１１の芯線１１ａを被覆する絶縁被覆層１１ｂの一端部を皮剥ぎして露出させた各芯線１１ａに端子５０を接続し、端子５０をコネクタハウジング５１のキャビティ５１ａに装着させるようにしたワイヤハーネスＷ０が知られている（例えば、特許文献１参照）。
【０００４】
ツイスト電線の耐ノイズ性能を十分に発揮させるためには、理想的には端子５０の直前まで２本の被覆電線１１が撚り合わされていることが望ましい。しかしながら、端子５０の直前まで２本の被覆電線１１が撚り合わされると、２つの端子５０を１つずつキャビティ５１ａに挿入することが不可能になる。このため、実際には、端子５０から７０〜８０ｍｍほど撚り戻した状態で、端子５０が１つずつキャビティ５１ａに挿入される。この程度の撚り戻し長であっても、ＣＡＮ（登録商標）等の車載ＬＡＮ規格では、要求される伝送特性を満たすことができる。
【先行技術文献】
【特許文献】
【０００５】
【特許文献１】特開２０００−４０５６０号公報
【発明の概要】
【発明が解決しようとする課題】
【０００６】
しかしながら、近年はＥｔｈｅｒｎｅｔ（登録商標）の車載が増加しつつあり、Ｅｔｈｅｒｎｅｔ（登録商標）で要求される伝送特性を満たすためには、ツイスト電線の撚り戻し長を従来よりも抑える必要がある。したがって、この場合には、従来のようにツイスト電線の端子を１つずつコネクタハウジングのキャビティに挿入する方法を用いることができない。
【０００７】
本発明は、上述のような課題を解決するためになされたもので、ツイスト電線の撚り戻し長を短く抑えながらも、端子のコネクタへの装着作業を容易にすることができるコネクタ及びワイヤハーネスを提供することを目的とする。
【課題を解決するための手段】
【０００８】
本発明に係るコネクタは、上記目的達成のため、撚り合わされた２本の被覆電線の各端部に取り付けられる一対の端子部、及び、前記一対の端子部間を連結する連結部を含む端子を収容するコネクタであって、前記一対の端子部間の間隔と同じ間隔で配置され、前記一対の端子部を挿入可能な少なくとも２つのキャビティと、隣り合う２つの前記キャビティを連通し、前記連結部を挿入可能な連通孔と、隣り合う２つの前記キャビティを仕切る隔壁の一部及び前記連通孔の一部を上下方向に貫通する貫通孔と、前記連結部を切断するために前記貫通孔内で前記連通孔より上側に配置され、かつ前記隔壁に易破断部を介して一体に設けられた切断部と、を有し、前記一対の端子部が各前記キャビティに挿入された際に、前記連結部が前記連通孔内の前記貫通孔に対応する位置に配置される構成である。
【０００９】
この構成により、本発明に係るコネクタは、一対の端子部をコネクタに完全挿入するまで端子を一体で扱えるため、ツイスト電線の撚り戻し長を短く抑えて、ツイスト電線の耐ノイズ性能を向上させるとともに、端子のコネクタへの装着作業を容易にすることができる。
【００１０】
また、上記構成のコネクタにおいては、前記切断部は、上端部が前記コネクタの上面から突出した被押圧部となっていて、前記被押圧部が押圧されて前記易破断部が破断されることにより、下端部が前記連結部を押圧して切断する押圧部となっている構成であってもよい。
【００１１】
この構成により、本発明に係るコネクタは、一対の端子部が各キャビティに完全挿入された状態で、連結部を切断することができる。
【００１２】
また、上記構成のコネクタにおいては、前記貫通孔の前記連通孔よりも下側部分が、前記切断部の下端部が圧入状態になる大きさに形成されている構成であってもよい。
【００１３】
この構成により、本発明に係るコネクタは、連結部の切断後に２つのキャビティ間の連結部を分断する位置に切断部が固定されるため、一対の端子部間の絶縁を確保することができる。
【００１４】
本発明に係るコネクタは、上記目的達成のため、撚り合わされた２本の被覆電線の端部に取り付けられる一対の端子部、及び、前記一対の端子部間を連結する連結部を含む端子を収容するコネクタであって、前記一対の端子部間の間隔と同じ間隔で配置され、前記一対の端子部を挿入可能な少なくとも２つのキャビティと、隣り合う２つの前記キャビティを連通し、前記連結部を挿入可能な連通孔と、隣り合う２つの前記キャビティを仕切る隔壁の一部及び前記連通孔の一部を上下方向に貫通し、前記連結部を切断する工具を挿入するための貫通孔と、を有し、前記一対の端子部が各前記キャビティに挿入された際に、前記連結部が前記連通孔内の前記貫通孔に対応する位置に配置される構成である。
【００１５】
この構成により、本発明に係るコネクタは、一対の端子部をコネクタに完全挿入するまで端子を一体で扱えるため、ツイスト電線の撚り戻し長を短く抑えて、ツイスト電線の耐ノイズ性能を向上させるとともに、端子のコネクタへの装着作業を容易にすることができる。
【００１６】
また、本発明に係るコネクタによれば、一対の端子部が各キャビティに完全挿入された状態で、連結部を切断するための工具を外部から貫通孔内に挿入することができる。
【００１７】
また、上記構成のコネクタは、前記連結部の切断後に、前記連通孔における前記連結部を分断する位置に固定される絶縁性部材を備える構成であってもよい。
【００１８】
この構成により、本発明に係るコネクタは、連結部の切断後に２つのキャビティ間の連結部を分断する位置に絶縁性部材が固定されるため、一対の端子部間の絶縁を確保することができる。
【００１９】
本発明に係るワイヤハーネスは、上記目的達成のため、上記のいずれかのコネクタと、撚り合わされた２本の被覆電線の端部に取り付けられる一対の端子部、及び、前記一対の端子部間を連結する連結部を含む端子と、を備えたワイヤハーネスであって、前記一対の端子部が各前記キャビティに挿入されており、前記連結部が前記連通孔内の前記貫通孔に対応する位置で切断されている構成である。
【００２０】
この構成により、本発明に係るワイヤハーネスは、一対の端子部をコネクタに完全挿入するまで端子を一体で扱えるため、ツイスト電線の撚り戻し長を短く抑えて、ツイスト電線の耐ノイズ性能を向上させるとともに、端子のコネクタへの装着作業を容易にすることができる。
【発明の効果】
【００２１】
本発明によれば、ツイスト電線の撚り戻し長を短く抑えながらも、端子のコネクタへの装着作業を容易にすることができるコネクタ及びワイヤハーネスを提供することができる。
【図面の簡単な説明】
【００２２】
【図１】本発明の第１の実施の形態に係るコネクタの斜視図であり、（ａ）は端子がコネクタに挿入される前の状態を示し、（ｂ）は端子がコネクタに完全挿入された状態を示している。
【図２】本発明の第１の実施の形態に係るコネクタに装着される端子の平面図である。
【図３】本発明の第１の実施の形態に係るコネクタの平面図である。
【図４】（ａ）は図１（ａ）におけるＡ−Ａ線断面図であり、（ｂ）は図１（ｂ）におけるＢ−Ｂ線断面図である。
【図５】本発明の第１の実施の形態に係るコネクタの他の構成例を示す断面図である。
【図６】本発明の第１の実施の形態に係るコネクタを用いるワイヤハーネスの組立手順を説明する工程図である。
【図７】本発明の第２の実施の形態に係るコネクタの斜視図である。
【図８】本発明の第２の実施の形態に係るコネクタを用いるワイヤハーネスの組立手順を説明する工程図である。
【図９】従来のコネクタの斜視図であり、（ａ）は端子がコネクタに挿入される前の状態を示し、（ｂ）は端子がコネクタに完全挿入された状態を示している。
【発明を実施するための形態】
【００２３】
次に、本発明に係る一実施の形態について図面を参照して説明する。
【００２４】
（第１の実施の形態）
まず、本実施の形態に係るコネクタ及びワイヤハーネスの構成を説明する。本実施の形態として示すコネクタ及びワイヤハーネスは、自動車の車両に配索される車両用ワイヤハーネスに関するものである。
【００２５】
図１（ａ），（ｂ）に示すように、本実施の形態に係るコネクタ３０は、２本の被覆電線１１が撚り合わされてなるツイスト電線１０の各端部に取り付けられる端子２０を収容するためのものである。ただし、ツイスト電線１０を構成する被覆電線１１の本数は、複数本であれば必要に応じて適宜変更することができる。
【００２６】
被覆電線１１は、例えば、軟銅撚り線より形成された芯線１１ａと、ポリ塩化ビニル等の樹脂材料により形成されて芯線１１ａを被覆する絶縁被覆層１１ｂとを有している。芯線１１ａは、軟銅撚り線に限定されるものではなく、例えば、アルミニウム合金単線等の他の電線材料を適用することができる。また、絶縁被覆層１１ｂは、ポリ塩化ビニル製に限定されるものではなく、他の絶縁用樹脂材料を適用することができる。
【００２７】
端子２０は、相手側端子としての雄型端子の端子接続部が挿入される角筒状の雌型端子である端子接続部２１、及び、各被覆電線１１の端部に電気的に接続される電線接続部２２をそれぞれ有する一対の端子部２３，２４と、一対の端子部２３，２４間を連結する連結部２５と、を備える。
【００２８】
電線接続部２２は、端子接続部２１に一体に連なり、かつ被覆電線１１の端部で露出した芯線１１ａを周方向に取り囲んで芯線１１ａに圧着される第１のバレル部２２ａと、第１のバレル部２２ａに一体に連なり、かつ被覆電線１１の端部で絶縁被覆層１１ｂを周方向に取り囲んで絶縁被覆層１１ｂに圧着される第２のバレル部２２ｂと、を有する。第１のバレル部２２ａは、工具によって芯線１１ａに圧着するように塑性変形され、第２のバレル部２２ｂは、工具によって絶縁被覆層１１ｂに圧着するように塑性変形されている。これにより、第１のバレル部２２ａが被覆電線１１の芯線１１ａに電気的に接続されている。
【００２９】
一対の端子部２３，２４は、例えば、銅、又は銅合金により形成され、必要に応じて表面にメッキ加工が施されている。一対の端子部２３，２４は、銅製、又は銅合金製に限定されるものではなく、他の金属材料を適用することができる。さらに、端子接続部２１は、雌型端子に限定されるものではなく、必要に応じて雄型端子とすることができる。
【００３０】
連結部２５は、例えば、一対の端子部２３，２４と同じ金属材料からなるものであっても、あるいは、任意の樹脂材料からなるものであってもよい。連結部２５が一対の端子部２３，２４と同じ金属材料からなる場合には、当該金属材料のプレートをプレス・折り曲げ加工することによって端子２０を一体形成することが可能になる。
【００３１】
端子２０は、一対の端子部２３，２４の位置関係が固定されており、２本の被覆電線１１を撚り戻すことなく、一対の端子部２３，２４を同時にコネクタ３０内に挿入可能に構成されている。このため、一対の端子部２３，２４のどちらか一方の端子接続部２１がコネクタ３０のキャビティ３１に半挿入状態とならないように、端子２０の２つの端子接続部２１の先端位置は揃っている。また、端子接続部２１のキャビティ３１への挿入が困難にならないように、２つの端子接続部２１がキャビティ３１に対して回転しておらず、かつ、２つの端子接続部２１の間隔（中心間距離）が、隣り合う２つのキャビティ３１の間隔（中心間距離）に等しくなっている。
【００３２】
図２に示すように、連結部２５は、後述するようにコネクタ３０内で切断されるため、切断を容易にするための孔や切り欠き等が形成されてなる脆弱部２５ａを有していてもよい。
【００３３】
なお、ツイスト電線１０を構成する被覆電線１１の本数がＮ（≧３）本の場合には、端子２０は、Ｎ個の端子部（すなわち、Ｎ−１組の一対の端子部）を備えるとともに、隣り合う端子部間を連結する連結部２５をＮ−１個備えることとなる。
【００３４】
図１に示すように、コネクタ３０は、端子２０が挿入される少なくとも２つのキャビティ３１を有する雌型コネクタであり、電気的絶縁性及び弾性変形可能な特性を具備した材料によって形成されている。例えば、コネクタ３０は、ポリエステルやポリプロピレン等の樹脂材料により形成されている。また、コネクタ３０は、ポリエステルやポリプロピレン以外の樹脂材料により形成させることもできる。さらに、コネクタは、雌型コネクタに限定されるものではなく、必要に応じて雄型コネクタとすることができる。
【００３５】
また、コネクタ３０は、隣り合う２つのキャビティ３１を連通し、端子２０の連結部２５を挿入可能な連通孔３２と、隣り合う２つのキャビティ３１を仕切る隔壁３３の一部及び連通孔３２の一部を上下方向に貫通する貫通孔３４と、連結部２５を切断するために貫通孔３４内で連通孔３２より上側に配置された切断部３５と、を含む。
【００３６】
さらに、図１，３に示すように、コネクタ３０は、初期状態において切断部３５を貫通孔３４の内面に連結して支持する易破断部３６を含む。すなわち、切断部３５は、隔壁３３に易破断部３６を介して一体に設けられている。ここで、キャビティ３１、連通孔３２、隔壁３３、貫通孔３４、切断部３５、及び易破断部３６は一体形成されている。
【００３７】
図１に示すように、隣り合う２つのキャビティ３１は、一対の端子部２３，２４の端子接続部２１の間隔（中心間距離）と同じ間隔Ｄで配置され、一対の端子部２３，２４を挿入可能に構成されている。さらに、コネクタ３０は、一対の端子部２３，２４が各キャビティ３１に完全挿入された際に、連結部２５の少なくとも一部が連通孔３２内の貫通孔３４に対応する位置に配置されるように構成されている。
【００３８】
図４（ａ），（ｂ）に示すように、切断部３５は、上端部がコネクタ３０の上面３０ａから突出した被押圧部３５ａとなっていて、被押圧部３５ａが押圧されて易破断部３６が破断されることにより、下端部が連結部２５を押圧して切断する押圧部３５ｂとなっている。図４（ａ）においては、押圧部３５ｂの先端は平坦な形状をなしているが、これに限定されるものではなく、押圧部３５ｂの先端は尖った形状をなしていてもよい。
【００３９】
貫通孔３４は、その連通孔３２よりも下側部分が、切断部３５の下端部が圧入状態になる大きさに形成されている。すなわち、貫通孔３４は、連結部２５の切断後に切断部３５の押圧部３５ｂ側を圧入状態で挟持し、連通孔３２における連結部２５を分断する位置に切断部３５を固定する幅狭部３４ａを有している。これにより、連結部２５の切断後に一対の端子部２３，２４間の絶縁を確保することができる。なお、切断部３５を連結部２５を分断する位置に固定できるのであれば、上記の幅狭部３４ａに限定されず、任意の係止構造を用いることができる。
【００４０】
なお、図１等には、コネクタ３０が２つのキャビティ３１を有する例を示したが、本発明はこれに限定されない。コネクタ３０としては、例えば図５（ａ）に示すような２連端子（端子２０）を複数個挿入可能な構成や、図５（ｂ）に示すような２連端子のみならずＮ（≧３）連端子を挿入可能な構成であってもよい。
【００４１】
次に、本実施の形態に係るコネクタ３０を用いたワイヤハーネスＷ１の組立手順について、図面を参照しながら説明する。
【００４２】
まず、２本の被覆電線１１の端部を一対の端子部２３，２４の各電線接続部２２に接続する。次に、上記のように端子２０に取り付けられた状態の２本の被覆電線１１を撚り合わせて、図１（ａ）に示すようなツイスト電線１０を形成する。あるいは、先に２本の被覆電線１１を撚り合わせてツイスト電線１０を形成した後に、２本の被覆電線１１の端部を一対の端子部２３，２４の各電線接続部２２に接続してもよい。
【００４３】
次に、図１（ｂ）及び図４（ｂ）に示すように、端子２０の一対の端子部２３，２４をコネクタ３０の互いに隣り合うキャビティ３１に同時に完全挿入する。これにより、端子２０の連結部２５が連通孔３２に収容されるとともに、連結部２５の少なくとも一部が貫通孔３４内に配置される。
【００４４】
次に、図６（ａ）から図６（ｂ）への変化に示すように、作業台４０上で、ツイスト電線１０が完全挿入された２つのキャビティ３１の間にある切断部３５の被押圧部３５ａを手や工具を用いて押圧する。これにより、連結部２５が切断されて、ワイヤハーネスＷ１の組立が完了する。
【００４５】
すなわち、上記のワイヤハーネスＷ１は、コネクタ３０と、端子２０とを備え、一対の端子部２３，２４が各キャビティ３１に挿入されており、連結部２５が連通孔３２内の貫通孔３４に対応する位置で切断されている。
【００４６】
以上のように、本実施の形態に係るコネクタ３０及びワイヤハーネスＷ１は、一対の端子部２３，２４をコネクタ３０に完全挿入するまで端子２０を一体で扱えるため、ツイスト電線１０の撚り戻し長を短く抑えて、ツイスト電線１０の耐ノイズ性能を向上させるとともに、端子２０のコネクタ３０への装着作業を容易にすることができる。
【００４７】
また、本実施の形態に係るコネクタ３０によれば、切断部３５がコネクタ３０に一体形成されているため、一対の端子部２３，２４が各キャビティ３１に完全挿入された状態で、連結部２５を切断することができる。
【００４８】
また、本実施の形態に係るコネクタ３０によれば、連結部２５の切断後に２つのキャビティ３１間の連結部２５を分断する位置に切断部３５が固定されるため、一対の端子部２３，２４間の絶縁を確保することができる。
【００４９】
（第２の実施の形態）
図７は、第２の実施の形態に係るコネクタ３０'を示す斜視図である。
【００５０】
図７に示すように、本発明の第２の実施の形態に係るコネクタ３０'の構成は、上述した図１〜図６に基づいて説明した第１の実施の形態に係るコネクタ３０の構成と略同一であるので、第１の実施の形態に係るコネクタ３０の構成と同一の構成については、同一の符号を付してその説明は省略し、特有の構成のみを説明する。
【００５１】
図７に示すように、コネクタ３０'は、第１の実施の形態におけるコネクタ３０の切断部３５及び易破断部３６の代わりに、貫通孔３４に連結部２５を切断する工具を挿入できるように構成されている。
【００５２】
図８（ａ），（ｂ）に示すように、貫通孔３４は、連結部２５の切断後に、樹脂材料などからなる絶縁性部材４１を圧入状態で挟持し、連通孔３２における連結部２５を分断する位置に絶縁性部材４１を固定する幅狭部３４ａを有している。なお、絶縁性部材４１を連結部２５を分断する位置に固定できるのであれば、上記の幅狭部３４ａに限定されず、任意の係止構造を用いることができる。
【００５３】
本実施の形態に係るコネクタ３０'を用いたワイヤハーネスＷ２の組立手順は以下のようになる。端子２０の一対の端子部２３，２４を同時にコネクタ３０'の互いに隣り合うキャビティ３１に完全挿入する工程までは、第１の実施の形態と同様である。
【００５４】
次に、図８（ａ）に示すように、作業台４０上で貫通孔３４に刃物などの工具４２を挿入して連結部２５を切断する。
【００５５】
次に、図８（ｂ）に示すように、貫通孔３４に絶縁性部材４１を圧入し、連通孔３２における連結部２５を分断する位置に絶縁性部材４１を固定する。これにより、ワイヤハーネスＷ２の組立が完了する。
【００５６】
すなわち、上記のワイヤハーネスＷ２は、コネクタ３０'と、端子２０とを備え、一対の端子部２３，２４が各キャビティ３１に挿入されており、連結部２５が連通孔３２内の貫通孔３４に対応する位置で切断されている。
【００５７】
以上のように、本実施の形態に係るコネクタ３０'及びワイヤハーネスＷ２は、一対の端子部２３，２４をコネクタ３０に完全挿入するまで端子２０を一体で扱えるため、ツイスト電線１０の撚り戻し長を短く抑えて、ツイスト電線１０の耐ノイズ性能を向上させるとともに、端子２０のコネクタ３０への装着作業を容易にすることができる。
【００５８】
また、本実施の形態に係るコネクタ３０'によれば、一対の端子部２３，２４が各キャビティ３１に完全挿入された状態で、連結部２５を切断するための工具を外部から貫通孔３４内に挿入することができる。
【００５９】
また、本実施の形態に係るコネクタ３０'によれば、連結部２５の切断後に２つのキャビティ３１間の連結部２５を分断する位置に絶縁性部材４１が固定されるため、一対の端子部２３，２４間の絶縁を確保することができる。
【００６０】
以上説明したように、本発明に係るコネクタ及びワイヤハーネスは、ツイスト電線の撚り戻し長を短く抑えながらも、端子のコネクタへの装着作業を容易にすることができるという効果を有し、コネクタ及びワイヤハーネス全般に有用である。
【符号の説明】
【００６１】
１０  ツイスト電線
１１  被覆電線
１１ａ  芯線
１１ｂ  絶縁被覆層
２０  端子
２１  端子接続部
２２  電線接続部
２２ａ  第１のバレル部
２２ｂ  第２のバレル部
２３，２４  一対の端子部
２５  連結部
２５ａ  脆弱部
３０，３０'  コネクタ
３０ａ  上面
３０ｂ  下面
３１  キャビティ
３２  連通孔
３３  隔壁
３４  貫通孔
３４ａ  幅狭部
３５  切断部
３５ａ  被押圧部
３５ｂ  押圧部
３６  易破断部
４０  作業台
４１  絶縁性部材
４２  工具
Ｗ１，Ｗ２  ワイヤハーネス
【図１】
2017212125.tif 000003
【図２】
2017212125.tif 000004
【図３】
2017212125.tif 000005
【図４】
2017212125.tif 000006
【図５】
2017212125.tif 000007
【図６】
2017212125.tif 000008
【図７】
2017212125.tif 000009
【図８】
2017212125.tif 000010
【図９】
2017212125.tif 000011